(57)【特許請求の範囲】
【請求項１】
互いに平行な折り目を介して連なる第１から第４のパネル体を備える一枚のブランク紙を溶着貼合することによって形成され，四角筒状の筒状胴部と，上記筒状胴部の上縁に連設され，上記筒状胴部の上面を塞ぐ天面部と，上記筒状胴部の下縁に連設され，上記筒状胴部の下面を塞ぐ底面部とを備える紙容器であって，
上記天面部が，
対向する第１，第３の側壁パネル（12，16）の上縁に連設され，内向きに折られる第１，第２の天面構成パネル（23，53），
上記第１の天面構成パネル（23）の上縁に連設され，上記第１の天面構成パネル（23）上に重なるように外向きに折り畳まれる第３の天面構成パネル（24），
上記第２の天面構成パネル（53）の上縁に連設され，上記第２の天面構成パネル（53）とともに天面部の最外面を構成する第４の天面構成パネル（55），
対向する第２，第４の側壁パネル（14，18）の上縁に底辺が連設され，内向きに折られる第１，第２の三角形の三角天面構成パネル（33，63），
上記第１の三角天面構成パネル（33）の両斜辺と，上記第１，第２の天面構成パネル（23，53）の一方側の側縁のそれぞれとに連設され，上記第１の三角天面構成パネル上に重なるように折り畳まれる第１，第２の三角形の三角折畳み天面構成パネル（34，35），
上記第２の三角天面構成パネル（63）の両斜辺と，上記第１，第２の天面構成パネル（23，53）の他方側の側縁のそれぞれとに連設され，上記第２の三角天面構成パネル上に重なるように折り畳まれる第３，第４の三角形の三角折畳み天面構成パネル（64，65），
上記第１，第２の三角折畳み天面構成パネル（34，35）の上縁と上記第３，第４の天面構成パネル（24，55）の一方側の側縁とに連設され，内向きに折り畳まれる第５の天面構成パネル（41ａ，41ｂ）と，
上記第３，第４の三角折畳み天面構成パネル（64，65）の上縁と上記第３，第４の天面構成パネル（24，55）の他方側の側縁とに連設され，内向きに折り畳まれる第６の天面構成パネル（71ａ，71ｂ）とから構成され，
上記第１，第２の三角形の三角折畳み天面構成パネル（34，35）が折り畳まれて第１の三角天面構成パネル（33）上に重ね合わされたときに，上記第１，第２の三角形の三角折畳み天面構成パネル（34，35）が上記第１の三角天面構成パネル（33）の頂点付近に重ねられない範囲が設けられており，
上記第３，第４の三角形の三角折畳み天面構成パネル（64，65）が折り畳まれて第２の三角天面構成パネル（63）上に重ね合わされたときに，上記第３，第４の三角形の三角折畳み天面構成パネル（64，65）が上記第２の三角天面構成パネル（63）の頂点付近に重ねられない範囲が設けられている，
フラットトップ型紙容器。
【請求項２】
互いに平行な折り目を介して連なる第１から第４のパネル体を備える一枚のブランク紙を溶着貼合することによって形成され，四角筒状の筒状胴部と，上記筒状胴部の上縁に連設され，上記筒状胴部の上面を塞ぐ天面部と，上記筒状胴部の下縁に連設され，上記筒状胴部の下面を塞ぐ底面部とを備える紙容器であって，
上記天面部が，
対向する第１，第３の側壁パネル（12，16）の上縁に連設され，内向きに折られる第１，第２の天面構成パネル（23，53），
上記第１の天面構成パネル（23）の上縁に連設され，上記第１の天面構成パネル（23）上に重なるように外向きに折り畳まれる第３の天面構成パネル（24），
上記第２の天面構成パネル（53）の上縁に連設され，上記第２の天面構成パネル（53）とともに天面部の最外面を構成する第４の天面構成パネル（55），
対向する第２，第４の側壁パネル（14，18）の上縁に底辺が連設され，内向きに折られる第１，第２の三角形の三角天面構成パネル（33，63），
上記第１の三角天面構成パネル（33）の両斜辺と，上記第１，第２の天面構成パネル（23，53）の一方側の側縁のそれぞれとに連設され，上記第１の三角天面構成パネル上に重なるように折り畳まれる第１，第２の三角形の三角折畳み天面構成パネル（34，35），
上記第２の三角天面構成パネル（63）の両斜辺と，上記第１，第２の天面構成パネル（23，53）の他方側の側縁のそれぞれとに連設され，上記第２の三角天面構成パネル上に重なるように折り畳まれる第３，第４の三角形の三角折畳み天面構成パネル（64，65），
上記第１，第２の三角折畳み天面構成パネル（34，35）の上縁と上記第３，第４の天面構成パネル（24，55）の一方側の側縁とに連設され，内向きに折り畳まれる第５の天面構成パネル（41ａ，41ｂ）と，
上記第３，第４の三角折畳み天面構成パネル（64，65）の上縁と上記第３，第４の天面構成パネル（24，55）の他方側の側縁とに連設され，内向きに折り畳まれる第６の天面構成パネル（71ａ，71ｂ）とから構成され，
上記第１，第２の三角天面構成パネル（33，63）の底辺から頂点までの長さ（Ｔ１）が，上記第１，第３の側壁パネル（12，16）の幅（Ｗ１）の半分以下であり，
上記第４のパネル体の外側縁に第５のパネル体が連設されており，上記第５のパネル体が上記第１のパネル体の内面に溶着されており，
上記第５のパネル体が位置する部分の上記第１の天面構成パネル（23）と上記第３の天面構成パネル（24）の境界の折り目，およびこの境界に重なる第５のパネル体の折り目の少なくともいずれか一方に，ミシン目が形成されている，
フラットトップ型紙容器。
【請求項３】
互いに平行な折り目を介して連なる第１から第４のパネル体を備える一枚のブランク紙を溶着貼合することによって形成され，四角筒状の筒状胴部と，上記筒状胴部の上縁に連設され，上記筒状胴部の上面を塞ぐ天面部と，上記筒状胴部の下縁に連設され，上記筒状胴部の下面を塞ぐ底面部とを備える紙容器であって，
上記天面部が，
対向する第１，第３の側壁パネル（12，16）の上縁に連設され，内向きに折られる第１，第２の天面構成パネル（23，53），
上記第１の天面構成パネル（23）の上縁に連設され，上記第１の天面構成パネル（23）上に重なるように外向きに折り畳まれる第３の天面構成パネル（24），
上記第２の天面構成パネル（53）の上縁に連設され，上記第２の天面構成パネル（53）とともに天面部の最外面を構成する第４の天面構成パネル（55），
対向する第２，第４の側壁パネル（14，18）の上縁に底辺が連設され，内向きに折られる第１，第２の三角形の三角天面構成パネル（33，63），
上記第１の三角天面構成パネル（33）の両斜辺と，上記第１，第２の天面構成パネル（23，53）の一方側の側縁のそれぞれとに連設され，上記第１の三角天面構成パネル上に重なるように折り畳まれる第１，第２の三角形の三角折畳み天面構成パネル（34，35），
上記第２の三角天面構成パネル（63）の両斜辺と，上記第１，第２の天面構成パネル（23，53）の他方側の側縁のそれぞれとに連設され，上記第２の三角天面構成パネル上に重なるように折り畳まれる第３，第４の三角形の三角折畳み天面構成パネル（64，65），
上記第１，第２の三角折畳み天面構成パネル（34，35）の上縁と上記第３，第４の天面構成パネル（24，55）の一方側の側縁とに連設され，内向きに折り畳まれる第５の天面構成パネル（41ａ，41ｂ）と，
上記第３，第４の三角折畳み天面構成パネル（64，65）の上縁と上記第３，第４の天面構成パネル（24，55）の他方側の側縁とに連設され，内向きに折り畳まれる第６の天面構成パネル（71ａ，71ｂ）とから構成され，
上記第１，第２の三角天面構成パネル（33，63）の底辺から頂点までの長さ（Ｔ１）が，上記第１，第３の側壁パネル（12，16）の幅（Ｗ１）の半分以下であり，
上記内向きに折り畳まれる第５，第６の天面構成パネルの折り箇所の上縁が切り欠かれている，
フラットトップ型紙容器。
【請求項４】
第３の天面構成パネル（24Ａ）の上縁が切り欠かれており，第１の天面構成パネル（23）の一部に第３の天面構成パネルが重ならない範囲が存在する，
請求項１から３のいずれか一項に記載のフラットトップ型紙容器。
【発明の詳細な説明】
【技術分野】
【０００１】
この発明は，牛乳，ジュース，ヨーグルト，ワイン，酒，焼酎などの液体飲料，塩，砂糖，粉末調味料その他の粉体または粒体食品，その他の包装ないし収納に適する容器，特に天面がフラット（平坦）に形成された，紙製のフラットトップ型容器に関する。
【背景技術】
【０００２】
軽く，低コストで，開封使用後に処分しやすいことなどを理由として，紙容器（紙パック）が広く用いられている。紙容器は，ブランク紙を所定の形状に打抜きかつ折り目（折罫，罫線）を形成し，折り目に沿ってブランク紙を折りかつ接着（溶着）することによってつくられる。
【０００３】
紙容器の代表的な形態としてゲーブルトップ（gable top ）型のものが知られている。ゲーブルトップ型紙容器は，その天面に，切妻屋根の形状をした部分と，切妻屋根の上方に突出するトップシール部とを備え，トップシール部を剥離する（シールを破く）ことで開封される。
【０００４】
ゲーブルトップ型紙容器の切妻屋根およびトップシール部の部分を平らにし，天面をほぼフラットにした紙容器も知られている（たとえば特許文献１参照）。特許文献１には，切妻屋根の両側の一対の三角形板を外向きに折って側壁外面に沿わせたもの，および上記一対の三角形板を内向きに折って天面に沿わせたものが示されている。
【０００５】
切妻屋根の両側の一対の三角形板を内向きに折ることで，容器の側壁外面に凹凸が無くなる。デザイン上の観点からは，三角形板は外向きに折るよりも内向きに折るのが好ましい。しかしながら，一対の三角形板を両側から内向きに折ると，三角板同士が干渉し合い（ぶつかる，重なり合う），局所的なシワ（凹凸）が生じることがある。容器天面にシワが発生すると，シール不良の要因になることがある。
【先行技術文献】
【特許文献】
【０００６】
【特許文献１】特開平５−３３０５５１号公報
【発明の開示】
【０００７】
この発明は，天面がフラットに形成される紙容器において，天面にシワを発生しにくくすることを目的とする。
【０００８】
第１の発明によるフラットトップ型紙容器は，互いに平行な折り目を介して連なる第１から第４のパネル体を備える一枚のブランク紙を溶着貼合することによって形成され，四角筒状の筒状胴部と，上記筒状胴部の上縁に連設され，上記筒状胴部の上面を塞ぐ天面部と，上記筒状胴部の下端に連設され，上記筒状胴部の下面を塞ぐ底面部とを備えるものである。上記天面部は，対向する第１，第３の側壁パネルの上縁に連設され，内向きに折られる第１，第２の天面構成パネル，上記第１の天面構成パネルの上縁に連設され，上記第１の天面構成パネル上に重なるように外向きに折り畳まれる第３の天面構成パネル，上記第２の天面構成パネルの上縁に連設され，上記第２の天面構成パネルとともに天面部の最外面を構成する第４の天面構成パネル，対向する第２，第４の側壁パネルの上縁に底辺が連設され，内向きに折られる第１，第２の三角形の三角天面構成パネル，上記第１の三角天面構成パネルの両斜辺と，上記第１，第２の天面構成パネルの一方側の側縁のそれぞれとに連設され，上記第１の三角天面構成パネル上に重なるように折り畳まれる第１，第２の三角形の三角折畳み天面構成パネル，上記第２の三角天面構成パネルの両斜辺と，上記第１，第２の天面構成パネルの他方側の側縁のそれぞれとに連設され，上記第２の三角天面構成パネル上に重なるように折り畳まれる第３，第４の三角形の三角折畳み天面構成パネル，上記第１，第２の三角折畳み天面構成パネルの上縁と上記第３，第４の天面構成パネルの一方側の側縁とに連設され，内向きに折り畳まれる第５の天面構成パネルと，上記第３，第４の三角折畳み天面構成パネルの上縁と上記第３，第４の天面構成パネルの他方側の側縁とに連設され，内向きに折り畳まれる第６の天面構成パネルとから構成され，上記第１，第２の三角天面構成パネルの底辺から頂点までの長さが，上記第１，第３の側壁パネルの幅の半分以下であることを特徴とする。「内向き」とは紙容器の内方がわを，「外向き」とは紙容器の外方がわを意味する。また，上縁，下縁，側縁等の用語に含まれる「上」，「下」，「側」などの方向を表す用語は，折られていない（折り畳まれていない）ブランク紙（展開図）の状態を基準にして用いる。
【０００９】
第１の発明は上述のフラットトップ型紙容器を形成するためのブランク紙も提供する。この発明によるブランク紙は，直方体状のフラットトップ型紙容器を形成するためのものであって，互いに平行な折り目を介して上記折り目と直交する向きに一方向に連なる第１から第４のパネル体を備え，上記第１から第４のパネル体のそれぞれが，紙容器の筒状胴部を形成する側壁パネル体と，上記側壁パネル体の上縁に連設されて紙容器の天面部を形成する天面パネル体と，上記筒状胴部の下端に連設されて紙容器の底面部を形成する底面パネル体とを備えている。第１，第３の側壁パネルの上縁に，折り目を介して第１，第２の天面構成パネルが連設されており，上記第１の天面構成パネルの上縁に，折り目を介して第３の天面構成パネルが連設されており，上記第２の天面構成パネルの上縁に，折り目を介して第４の天面構成パネルが連設されており，対向する第２，第４の側壁パネルの上縁に，第１，第２の三角形の三角天面構成パネルの底辺が連設されており，上記第１の三角天面構成パネルの両斜辺と，上記第１，第２の天面構成パネルの一方側の側縁のそれぞれとに，第１，第２の三角形の三角折畳み天面構成パネルが連設されており，上記第２の三角天面構成パネルの両斜辺と，上記第１，第２の天面構成パネルの他方側の側縁のそれぞれとに，第３，第４の三角形の三角折畳み天面構成パネルが連設されており，上記第１，第２の三角折畳み天面構成パネルの上縁と上記第３，第４の天面構成パネルの一方側の側縁とに，第５の天面構成パネルが連設されており，上記第３，第４の三角折畳み天面構成パネルの上縁と上記第３，第４の天面構成パネルの他方側の側縁とに，第６の天面構成パネルが連設されており，上記第１，第２の三角天面構成パネルの底辺から頂点までの長さが，上記第１，第３の側壁パネルの幅の半分以下であることを特徴とする。
【００１０】
第１の発明によると，いわゆるゲーブルトップ型紙容器の切妻屋根を平らにして天面をほぼフラットにした直方体状の紙容器であって，一対の第１，第２の三角天面構成パネルが内向きに折られた紙容器が提供される。内向きに折られる第１，第２の三角天面構成パネルは，その底辺が，対向する第２，第４の側壁パネルの上縁に連設されているので，内向きに折られることで第１，第３の側壁パネルの幅方向に沿ってのび，両側から対向するようにして設けられる。この発明の紙容器はフラットトップ型のもの，すなわち平坦な天面部を備えるものであるから，第１，第２の三角天面構成パネルを含めて天面部を構成するパネルは，いずれも同じ方向を向く姿勢を持つようにして，典型的には水平方向の姿勢を持つようにして，折られるまたは折り畳まれる。
【００１１】
第１の発明によると，第１，第２の三角天面構成パネルの底辺から頂点までの長さ（三角形の高さ）が，第１，第３の側壁パネルの幅の半分以下であるので，第１，第２の一対の三角天面構成パネルが両側から内向きに折られたときに，頂点部分（先端部分）が重なり合ってしまうことがない。このため，完成した紙容器の天面に，一対の三角天面構成パネルの頂点部分が重なり合うことに起因して，シワが寄ったり，余計な凹凸が生じたりしないようにすることができ，フラットな天面部を有する紙容器を形成することができる。
【００１２】
一実施態様では，上記第３の天面構成パネルの上縁が切り欠かれており，上記第１の天面構成パネルの一部に上記第３の天面構成パネルが重ならない範囲が存在する。第３の天面構成パネルは第１の天面構成パネルの上縁に連設されており，外向きに折り畳まれて第１の天面構成パネル上に重ねられる。第１の天面構成パネル上の全体に第３の天面構成パネルが重ねられないので，天面部において，パネルの積重ねの数を部分的に少なくすることができる。切り欠きは，寸法を短く（小さく）することも含む。たとえば折り畳まれるときの折り目から第３の天面構成パネルの上縁までの寸法（高さ）を，上記第１の天面構成パネルの対応する寸法よりも短くする（高さを低くする）ことも，「切り欠き」という用語には含まれるものとする。
【００１３】
他の実施態様では，上記第４のパネル体の外側縁に第５のパネル体が連設されており，上記第５のパネル体が上記第１のパネル体の内面に溶着されており，上記第５のパネル体が位置する部分の上記第１の天面構成パネルと上記第３の天面構成パネルの境界の折り目，およびこの境界に重なる第５のパネル体の折り目の少なくともいずれか一方に，ミシン目が形成されている。第５のパネル体が溶着されることでパネルの積重ね数が多くなる箇所の折り目にミシン目を形成しておくことで，ブランクから紙容器を組立てるときに，パネルを折りやすくすることができる。
【００１４】
好ましくは，上記内向きに折り畳まれる第５，第６の天面構成パネルの折り箇所の上縁端が切り欠かれている。第５，第６の天面構成パネルは組み立てられた紙容器の対向する位置にそれぞれ設けられており，かついずれも内向きに折り畳まれるので，折り畳まれたときの折り箇所が両側から紙容器の中心に向かい，重なり合ってしまうおそれがある。第５，第６の天面構成パネルの折り箇所の上縁端（外端）を切り欠いておくことで，折り箇所における第５，第６の天面構成パネルの重なり合いを防止することができる。第５，第６の天面構成パネルの重なり合いによって容器天面にシワが寄ったりすることを防止することができる。また，紙容器を解体するときに指または爪をかけやすくもなる。
【００１５】
第２の発明によるフラットトップ型紙容器は，互いに平行な折り目を介して連なる第１から第４のパネル体を備える一枚のブランク紙を溶着貼合することによって形成され，四角筒状の筒状胴部と，上記筒状胴部の上縁に連設され，上記筒状胴部の上面を塞ぐ天面部と，上記筒状胴部の下端に連設され，上記筒状胴部の下面を塞ぐ底面部とを備えるものであって，上記天面部が，対向する第１，第３の側壁パネルの上縁に連設され，内向きに折られる第１，第２の天面構成パネル，上記第１の天面構成パネルの上縁に連設され，上記第１の天面構成パネル上に重なるように外向きに折り畳まれる第３の天面構成パネル，上記第２の天面構成パネルの上縁に連設され，上記第２の天面構成パネルとともに天面部の最外面を構成する第４の天面構成パネル，対向する第２，第４の側壁パネルの上縁に底辺が連設され，内向きに折られる第１，第２の三角形の三角天面構成パネル，上記第１の三角天面構成パネルの両斜辺と，上記第１，第２の天面構成パネルの一方側の側縁のそれぞれとに連設され，上記第１の三角天面構成パネル上に重なるように折り畳まれる第１，第２の三角形の三角折畳み天面構成パネル，上記第２の三角天面構成パネルの両斜辺と，上記第１，第２の天面構成パネルの他方側の側縁のそれぞれとに連設され，上記第２の三角天面構成パネル上に重なるように折り畳まれる第３，第４の三角形の三角折畳み天面構成パネル，上記第１，第２の三角折畳み天面構成パネルの上縁と上記第３，第４の天面構成パネルの一方側の側縁とに連設され，内向きに折り畳まれる第５の天面構成パネルと，上記第３，第４の三角折畳み天面構成パネルの上縁と上記第３，第４の天面構成パネルの他方側の側縁とに連設され，内向きに折り畳まれる第６の天面構成パネルとから構成され，上第１，第２の三角形の三角折畳み天面構成パネルが折り畳まれて第１の三角天面構成パネル上に重ね合わされたときに，上記第１，第２の三角形の三角折畳み天面構成パネルが上記第１の三角天面構成パネルの頂点付近に重ねられない範囲が設けられており，上記第３，第４の三角形の三角折畳み天面構成パネルが折り畳まれて第２の三角天面構成パネル上に重ね合わされたときに，上記第３，第４の三角形の三角折畳み天面構成パネルが上記第２の三角天面構成パネルの頂点付近に重ねられない範囲が設けられていることを特徴とする。
【００１６】
第２の発明による直方体状のフラットトップ型紙容器を形成するためのブランク紙は，互いに平行な折り目を介して上記折り目と直交する向きに一方向に連なる第１から第４のパネル体を備え，上記第１から第４のパネル体のそれぞれが，紙容器の筒状胴部を形成する側壁パネル体と，上記側壁パネル体の上縁に連設されて紙容器の天面部を形成する天面パネル体と，上記筒状胴部の下端に連設されて紙容器の底面部を形成する底面パネル体とを備え，第１，第３の側壁パネルの上縁に，折り目を介して第１，第２の天面構成パネルが連設されており，上記第１の天面構成パネルの上縁に，折り目を介して第３の天面構成パネルが連設されており，上記第２の天面構成パネルの上縁に，折り目を介して第４の天面構成パネルが連設されており，第２，第４の側壁パネルの上縁に，第１，第２の三角形の三角天面構成パネルの底辺が連設されており，上記第１の三角天面構成パネルの両斜辺と，上記第１，第２の天面構成パネルの一方側の側縁のそれぞれとに，第１，第２の三角形の三角折畳み天面構成パネルが連設されており，上記第２の三角天面構成パネルの両斜辺と，上記第１，第２の天面構成パネルの他方側の側縁のそれぞれとに，第３，第４の三角形の三角折畳み天面構成パネルが連設されており，上記第１，第２の三角折畳み天面構成パネルの上縁と上記第３，第４の天面構成パネルの一方側の側縁とに，第５の天面構成パネルが連設されており，上記第３，第４の三角折畳み天面構成パネルの上縁と上記第３，第４の天面構成パネルの他方側の側縁とに，第６の天面構成パネルが連設されており，上第１，第２の三角折畳み天面構成パネルと，上記第５の天面構成パネルとの境界の折り目が，上記第１の三角天面構成パネルの頂点付近において不連続となっており，上記第３，第４の三角折畳み天面構成パネルと，上記第６の天面構成パネルとの境界の折り目が，上記第２の三角天面構成パネルの頂点付近において不連続となっていることを特徴とする。
【００１７】
折られたパネルの折り箇所が一箇所（一点）に集中すると，そこにパネルが凝集してシワ（浮き，パネルの波打ち）が生じやすい。第２の発明によると，第１，第２の三角折畳み天面構成パネル，第３，第４の三角折畳み天面構成パネルが，第１，第２の三角天面構成パネル上にそれぞれ重なるようにして折り畳まれたときに，第１，第２の三角天面構成パネルの頂点付近に，三角折畳み天面構成パネルが重ねられない範囲が生じる。すなわち，第１，第２の三角天面構成パネルの頂点位置に折り箇所が集中せずに，ずれが生じる。紙容器の天面にシワを発生しにくくすることができ，フラットな天面を持つ紙容器を実現することができる。
【図面の簡単な説明】
【００１８】
【図１】第１実施例のフラットトップ型紙容器のブランク図である。
【図２】第１実施例のフラットトップ型紙容器の斜視図である。
【図３】第１実施例のフラットトップ型紙容器の天面図である。
【図４】組み立てられた第１実施例のフラットトップ型紙容器のパネルの一部を示している。
【図５】変形例のブランクの一部拡大図を示している。
【図６】他の変形例のブランクの一部拡大図を示している。
【図７】第２実施例のフラットトップ型紙容器のブランク図である。
【図８】組立途中の第２実施例のフラットトップ型紙容器の上側斜視図である。
【図９】第３実施例のフラットトップ型紙容器のブランク図である。
【図１０】組立途中の第３実施例のフラットトップ型紙容器の上側斜視図である。
【図１１】第４実施例のフラットトップ型紙容器のブランク図である。
【図１２】組立途中の第４実施例のフラットトップ型紙容器の上側斜視図である。
【図１３】第５実施例のフラットトップ型紙容器のブランク図である。
【図１４】組立途中の第５実施例のフラットトップ型紙容器の上側斜視図である。
【図１５】第６実施例のフラットトップ型紙容器のブランク図である。
【図１６】組立途中の第６実施例のフラットトップ型紙容器の上側斜視図である。
【発明を実施するための形態】
【００１９】
以下，図面を参照してフラットトップ型紙容器を詳細に説明する。
【実施例１】
【００２０】
図１から図４は第１実施例のフラットトップ型の紙容器を示すもので，図１は紙容器の展開図（ブランク図），図２は紙容器全体の斜視図，図３は紙容器の天面図（上面図），図４は組立てられた紙容器が備えるパネルの一部をそれぞれ示している。
【００２１】
図１のブランク１Ａは組み立てられたときに紙容器の外面となる面を示しており，紙を主成分とするシート（シートの層構造の詳細は後述する）を打ち抜き，かつ折り目（折り線，罫線）をつけることで形成される。図１において山折りされる折り目が一点鎖線で示され，谷折りされる折り目が二点鎖線で示されている。
【００２２】
ブランク１Ａには，縦方向に互いに平行に間隔をあけて一直線状にのびる４本の折り目が形成されている。４本の折り目は，図１のブランク１Ａの左から右に向けて，折り目28，27，13，29と，折り目43，44，15，50と，折り目59，58，17，60と，折り目74，73，19，80から構成される。これらの縦方向にのびる４本の折り目によって区切られる，５つの横一列に並ぶ区画（領域）のうち，左から４つ目までの区画が紙容器１Ｂの基本構造を構成する。最右端の区画は溶着（接着）に用いられる区画（糊代）である。以下，横向きに並ぶ合計５つの区画のそれぞれを，左から右に向けて，それぞれ，包括的に第１，第２，第３，第４，第５のパネル体と呼ぶ。
【００２３】
第１〜第５のパネル体のそれぞれは，その上下方向の中央に，ブランク１Ａを組み立てることで形成される紙容器１Ｂの胴部を構成するパネル部分が位置し，その上縁に紙容器１Ｂの天面部を構成するパネル部分が，その下端に紙容器１Ｂの底面部を構成するパネル部分が，それぞれ連続している。以下に詳細に説明するように，図１に示すブランク１Ａを折り目に沿って折り曲げ（折り畳み），かつ適所を溶着して貼り合せることによって，図２に示す紙容器１Ｂがつくられる。
【００２４】
第１〜第４のパネル体には縦向きに長い長方形の第１から第４の側壁パネル12，14，16，18がそれぞれ含まれ，第５のパネル体には溶着パネル20が含まれており，これらが横一列に並んでいる。これらのパネルの側端同士が，縦方向に互いに平行にのびる折り目13，15，17，19のそれぞれにおいて連続している。第１および第３の側壁パネル12，16は同じ幅Ｗ１を持つ。第２および第４の側壁パネル14，18も同じ幅Ｗ２を持つ。なお，同じ幅とは厳密に同じでなくてもよく，多少の差異，たとえば２ｍｍ以内の差異は許容される。また，この実施例では幅Ｗ１と幅Ｗ２とは同じとされるが，幅Ｗ１と幅Ｗ２とを異ならせることもできる。第１〜第４の側壁パネル12，14，16，18の高さおよび溶着パネル20の高さはほぼ等しい。
【００２５】
第１の側壁パネル12と第２の側壁パネル14の間の折り目13に連続して，上方には折り目27，28が，下方には折り目29が，それぞれ一直線上に伸びている。第２の側壁パネル14と第３の側壁パネル16の間の折り目15も，その上方に折り目44，43が，下方に折り目50が連続している。第３の側壁パネル16と第４の側壁パネル18の間の折り目17にも折り目58，59と折り目60とが，第４の側壁パネル18と溶着パネル20との間の折り目19にも折り目73，74と折り目80とが連続している。これらの折り目はいずれも山折りされ，横断面がほぼ正方形の胴部を形作る。また天面部および底面部はいずれもほぼフラットとなるように折り畳まれ，これにより組立が完成した紙容器１Ｂは，全体として直方体の形状を持つものとなる（図２参照）。
【００２６】
第１から第４の側壁パネル12，14，16，18および溶着パネル20の上縁に，折り目21，31，51，61，81がそれぞれ設けられており，これらは縦方向にのびる上記折り目13，15，17，19と直交して横向きにのびている。折り目21，31，51，61，81において第１から第４の側壁パネル12，14，16，18および溶着パネル20の上縁につながるパネル部分は，いずれもほぼ水平方向の姿勢となるように折られて，紙容器１Ｂの天面部を構成する。第１から第４の側壁パネル12，14，16，18および溶着パネル20の下縁にも折り目22，32，52，62，82がそれぞれ設けられ，これらも縦方向にのびる上記折り目13，15，17，29と直交する向きにのびている。折り目22，32，52，62，82において第１から第４の側壁パネル12，14，16，18および溶着パネル20の下縁につながるパネル部分も，いずれも水平方向の姿勢となるように折られて，紙容器１Ｂの底面部を構成する。以下の説明において，第１から第４の側壁パネル12，14，16，18を包括的に「側壁パネル体」と呼ぶ。側壁パネル体の上縁につながるパネル部分を包括的に「天面パネル体」と呼び，下縁につながるパネル部分を包括的に「底面パネル体」と呼ぶ。
【００２７】
第１〜第４の側壁パネル12，14，16，18のうち，第１，第３の側壁パネル12，16の上下につながるパネル部分と，第２，第４の側壁パネル14，18の上下につながるパネル部分は，その構造は，同じであるか，または違いがわずかである。以下，第１，第３の側壁パネル12，16の上下につながるパネル部分と，第２，第４の側壁パネル14，18の上下につながるパネル部分とをまとめて説明する。
【００２８】
第１，第３の側壁パネル12，16の上縁に，折り目21，51を介して横向きに長い長方形の第１，第２の天面構成パネル23，53が連続し，第１，第２の天面構成パネル23，53のさらに上縁に，折り目21，51と平行な折り目26，57を介して横向きに長い長方形の第３，第４の天面構成パネル24，55が連続している。折り目26の先端部分（外側端に近い箇所，後述する溶着パネルが溶着される範囲）には，折りやすくするためのミシン目Ｍが形成されている。第１〜第４の天面構成パネル23，53，24，55はほぼ同一の寸法を備え，長辺の長さが第１，第３の側壁パネル12，16の幅Ｗ１に等しく，短辺の長さが第２，第４の側壁パネル14，18の幅Ｗ２の約半分である。
【００２９】
組立てが完成した紙容器１Ｂにおいては，折り目26において第３の天面構成パネル24が折り畳まれて（１８０度の折り曲げ），第１の天面構成パネル23の外面上に第３の天面構成パネル24の外面が重ねられるようにして互いに溶着される。外観を考慮して，第３の天面構成パネル24の短辺（折り目26からその上縁までの長さ）よりも第１の天面構成パネル23の短辺の長さを少し長くしてもよい。他方，第２の天面構成パネル53と第４の天面構成パネル55の間の折り目57は，完成した紙容器１Ｂにおいてパネルの折り曲げに用いられない。第２の天面構成パネル53と第４の天面構成パネル55はほぼ面一とされて，紙容器１Ｂのフラットな天面部の最外面を構成する。
【００３０】
第２の天面構成パネル53のほぼ中央に円形の注出口取り付け孔54があけられている。この円形の取り付け孔54およびそこに取り付けられるキャップ付きの注出口Ｃ（図２参照）を通して，紙容器１Ｂに収納された液状物，粉状物，粒状物等（以下，内容物という）が容器の外に出される。取り付け孔54は，第２の天面構成パネル53に代えて第１の天面構成パネル23や第１〜第４の側壁パネル12，14，16，18に形成してもよく，またその形状も円形に限られず，楕円形，長円形，方形，その他の形状であってもよい。注出口Ｃは，紙容器の内面に取り付けられてもよいし，紙容器の外面に取り付けられてもよい。
【００３１】
第１，第３の側壁パネル12，16の下縁には，折り目22，52を介して横向きにほぼ長方形の第１，第２の底面構成パネル25，56が連続している。第１，第２の底面構成パネル25，56の長辺の長さは第１，３の側壁パネル12，16の幅Ｗ１に等しく，短辺の長さは第２，第４の側壁パネル14，18の幅Ｗ２の半分よりもわずかに長い。
【００３２】
次に，第２，第４の側壁パネル14，18の上下につながるパネル部分をまとめて説明する。
【００３３】
第２，第４の側壁パネル14，18の上縁の折り目31，61に，第１，第２の三角形の天面構成パネル33，63が連続している。第１の三角天面構成パネル33は，折り目31を底辺とし，底辺（折り目31）の両端から斜め内向きにそれぞれのびて頂点で結合する，２本の折り目36，37を斜辺とする二等辺三角形の形状を有している。第２の三角天面構成パネル63も同様に，折り目61を底辺とし，底辺（折り目61）の両端から斜め内向きにそれぞれのびて頂点で結合する，２本の折り目66，67を斜辺とする二等辺三角形の形状を有している。第１，第２の三角天面構成パネル33，63の高さ（底辺から頂点までの長さ）Ｔ１は，第１，第３の側壁パネル12，16の幅Ｗ１の半分以下の寸法を持つ。
【００３４】
第１の三角天面構成パネル33の二つの斜辺（折り目36，37）に第１，第２の三角折畳み天面構成パネル34，35がつながっている。第２の三角天面構成パネル63の二つの斜辺（折り目66，67）にも第３，第４の三角折畳み天面構成パネル64，65がつがなっている。後述するように，組立てが完成した紙容器１Ｂにおいて，折り目36，37において第１，第２の三角折畳み天面構成パネル34，35はそれぞれ谷折りで折り畳まれて，第１の三角天面構成パネル33の外面上に第１，第２の三角折畳み天面構成パネル34，35の外面が重ねられるようにして互いに溶着される。同様に，折り目66，67において第３，第４の三角折畳み天面構成パネル64，65はそれぞれ谷折りで折り畳まれて，第２の三角天面構成パネル63の外面上に第３，第４の三角折畳み天面構成パネル64，65の外面が重ねられるようにして互いに溶着される。
【００３５】
折り目38，39を介して三角折畳み天面構成パネル34，35の上縁に第５の天面構成パネル41ａ，41ｂがつながっている。折り目68，69を介して三角折畳み天面構成パネル64，65の上縁にも第６の天面構成パネル71ａ，71ｂがつながっている。組立が完成した紙容器１Ｂにおいて，第５の天面構成パネル41ａ，41ｂは，その中央に縦向きに設けられた折り目42において谷折りされて半分に折り畳まれる（半分にされる範囲が符号41ａ，41ｂで示されている）。第６の天面構成パネル71ａ，71ｂも，その中央に縦向きにのびる折り目72において谷折りされて半分に折り畳まれる（半分にされる範囲が符号71ａ，71ｂで示されている）。
【００３６】
第１，第２の三角折畳み天面構成パネル34，35と第５の天面構成パネル41ａ，41ｂとの境界の折り目38，39は一直線に形成されておらず，互いに近づく向きにやや斜め下向きに形成されている。第３，第４の三角折畳み天面構成パネル64，65と第６の天面構成パネル71ａ，71ｂとの境界の折り目68，69も一直線に形成されていず，互いに近づく向きにやや斜め下方に形成されている。折り目38，39および折り目68，69を互いに近づく向きに延ばしたときの交点（以下，仮想交点と呼ぶ）は，上記第１，第２の三角天面構成パネル33，63の内部に位置する。すなわち，折り目38，39は，第１の三角天面構成パネル33の頂点付近で遮られて不連続になっている。折り目68，69も，第２の三角天面構成パネル63の頂点付近で遮られて不連続となっている。
【００３７】
第２，第４の側壁パネル14，18の下縁の折り目32，62に，折り目32，62をそれぞれ底辺とし，底辺（折り目32，62）の両端から斜めにのびて頂点で結合する２本の折り目48，49，78，79を斜辺とする，二等辺三角形の形状の第１，第２の三角底面構成パネル45，75が連続している。第１の三角底面構成パネル45の２つの斜辺（折り目48，49）にはさらに第１，第２の三角折畳み底面構成パネル46，47が，第２の三角底面構成パネル75の２つの斜辺（折り目78，79）にはさらに第３，第４の三角折畳み底面構成パネル76，77が連続している。組立てが完成した紙容器１Ｂにおいて，折り目48，49において第１，第２の三角折畳み底面構成パネル46，47はそれぞれ谷折りで折り畳まれて，第１の三角底面構成パネル45の外面上にそれらの外面が重ねられるようにして互いに溶着される。第３，第４の三角折畳み底面構成パネル76，77も折り目78，79においてそれぞれ谷折りで折り畳まれて，第２の三角底面構成パネル75の外面上にそれらの外面が重ねられて互いに溶着される。
【００３８】
第４の側壁パネル18の外側縁に溶着パネル20が折り目19を介してつながっている。溶着パネル20の上縁および第４の三角折畳み天面構成パネル65の側縁に，折り目81，73を介して第１の天面溶着パネル83がつながり，第１の天面溶着パネル83の上縁および第６の天面構成パネル71ｂの側縁にはさらに，ミシン目Ｍおよび折り目74を介して第２の天面溶着パネル84がつながっている。溶着パネル20の下縁および第４の三角折畳み底面構成パネル77の側縁には折り目82，80を介して底面溶着パネル85がつながっている。
【００３９】
図１に示すブランク１Ａを以下のようにして折り目で折り曲げて組立てると図２に示す紙容器１Ｂができる。すなわち，第１〜第５のパネル体が，縦方向にのびる折り目に沿って山折りされて平板な状態とされ，第５のパネル体が第１のパネル体の内面に溶着される。これにより平らに畳まれた筒状体が作成される。製函工程において，第１〜第５のパネル体をつなぐ縦向きの折り目が用いられて，平らに畳まれた筒状体が起函され，これにより上下が開口した四角筒が形成される。
【００４０】
はじめに底面部が形成される。すなわち，折り目22，32，52，62，82においてつながる底面パネル体が，側壁パネル体に対して山折りされ，直角に内向きに折り曲げられる。また，第１の三角底面構成パネル45の両側の第１，第２の三角折畳み底面構成パネル46，47が折り目48，49に沿って谷折りされて外向きに折り畳まれ，第２の三角底面構成パネル75の両側の第３，第４の三角折畳み底面構成パネル76，77も折り目78，79に沿って谷折りされて外向きに折り畳まれる。第１，第２の三角底面構成パネル45，75は，いずれも容器の内側に向けて内向きに折り畳まれることになる。第１の三角底面構成パネル45の外面には第１，第２の三角折畳み底面構成パネル46，47の外面が，第２の三角底面構成パネル75の外面には第３，第４の三角折畳み底面構成パネル76，77の外面がそれぞれ外側から重なり合わされ，さらにその外側に第１，第２の底面構成パネル25，56が重なり合わされる。重なり合った部分が溶着されることで，底面から見てほぼ正方形の，フラットな底面部が形成される。
【００４１】
取り付け孔54に注出口Ｃを固定した後，上方開口から内容物が充填される。その後，天面部の形成に進む。
【００４２】
折り目21，31，51，61，81において，天面パネル体が側壁パネル体に対して直角に山折りされて内向きに折られる。第１の三角天面構成パネル33の両側の第１，第２の三角折畳み天面構成パネル34，35，第１，第２の三角折畳み天面構成パネル34，35の上縁につながる第５の天面構成パネル41ａ，41ｂが，折り目36，37，42で谷折りされて折り畳まれる。第２の三角天面構成パネル63の両側の第３，第４の三角折畳み天面構成パネル64，65，第３，第４の三角折畳み天面構成パネル64，65の上縁につながる第６の天面構成パネル71ａ，71ｂも，折り目66，67，72に沿って谷折りされて折り畳まれる。さらに第１の天面構成パネル23と第３の天面構成パネル24の間の折り目26，および第２の天面構成パネル53と第４の天面構成パネル55との間の折り目57が谷折りされる。第１，第２の三角折畳み天面構成パネル34，35と第５の天面構成パネル41ａ，41ｂとの間の折り目38，39，および第３，第４の三角折畳み天面構成パネル64，65と第６の天面構成パネル71ａ，71ｂとの間の折り目68，69が山折りされる。重なり合った部分が溶着されることで，第１〜第４の側壁パネル12，14，16，18および溶着パネル20の上縁に連続する天面パネル体が容器天面にフラットに設けられる（組立途中の様子について図６を参照）。最後に第３の天面構成パネル24を折り畳み，その外面を第１の天面構成パネル23の外面に溶着する。直方体状の紙容器１Ｂが完成する（図２）。
【００４３】
第３の天面構成パネル24の外面を第１の天面構成パネル23の外面に溶着するのに代えて，第４の天面構成パネル55の外面を第２の天面構成パネル53の外面に溶着してもよい（この場合，注出口取り付け孔54は，第２の天面構成パネル53ではなく，たとえば第１の天面構成パネル23にあけられる）。天面部に位置する第１の天面溶着パネル83と第２の天面溶着パネル84がその境界（ミシン目Ｍの位置）で折り返されないことになるので，成形性に優れるものとすることができる。この場合には，第１の天面溶着パネル83と第２の天面溶着パネル84の境界のミシン目Ｍ，および第１の天面構成パネル23と第２の天面構成パネル53の境界の折り目26の先端部分のミシン目Ｍを形成しておく必要は必ずしもない。
【００４４】
図３を参照して，上述したように，紙容器１Ｂの天面部を構成する第１，第２の三角天面構成パネル33，63の底辺から頂点までの長さ（高さ）Ｔ１は，第１，第３の側壁パネル12，16の幅Ｗ１の半分以下である。したがって，天面部がフラットなるように上述のようにパネルを折ったときに，第１，第２の三角天面構成パネル33，63の頂点部分（先端部分）が重なりあうことはない。完成した紙容器１Ｂの天面部に，第１，第２の三角天面構成パネル33，63の頂点部分が重なり合うことに起因して，たとえばシワが寄ったり，余計な凹凸が生じたりしないようにすることができる。フラットな天面部を持つ紙容器１Ｂを形成することができる。
【００４５】
図４を参照して，紙容器１Ｂを上述のように組み立てると，折り目36，37に沿って第１，第２の三角折畳み天面構成パネル34，35が折り畳まれて，第１の三角天面構成パネル33の外面に重ね合わされる。同様にして，第２の三角天面構成パネル63の外面には第３，第４の三角折畳み天面構成パネル64，65の外面が重ね合わされる。上述したように，折り目38，39および折り目68，69は一直線に形成されていずに，仮想交点が第１，第２の三角天面構成パネル33，63の内側に位置するようにやや斜めに形成されており，折り目38，39および折り目68，69は，第１，第２の三角天面構成パネル33，63によって遮られるようにして不連続となっている。このため，第１，第２の三角折畳み天面構成パネル34，35，および第３，第４の三角折畳み天面構成パネル64，65が折り畳まれたときに，第１，第２の三角天面構成パネル33，63の頂点付近に，三角折畳み天面構成パネルが重ねられない範囲が生じる。図４は，第１の三角天面構成パネル33の頂点付近に三角折畳み天面構成パネル34，35が重なっていない様子をやや強調して示すが，第２の三角天面構成パネル63も同様である。すなわち，第１，第２の三角天面構成パネル33，63の頂点の位置に折り箇所が集中せずに，ずれが生じる。折られたパネルの折り箇所が一箇所に集中すると，そこにパネル（シート）が凝集してシワ（浮き，パネルの波打ち）が生じやすくなるが，このように第１，第２の三角天面構成パネル33，63の頂点の位置とパネルの折り箇所とをずらすことによってシワが発生しにくくすることができる。これによってもフラットな天面を持つ紙容器１Ｂを実現することができる。
【００４６】
図５は，変形例のブランクの部分拡大図を示している。折り目38と折り目39とが第１の三角天面構成パネル33の頂点を挟んで上下に位置をずらして形成されている。第１の三角天面構成パネル33の頂点の位置とパネルの折り箇所がずらされているので，パネルの折り箇所の集中が軽減（分散）される。この変形例でも，第１の三角折畳み天面構成パネル34および第２の三角折畳み天面構成パネル35が折り畳まれたときに，第１の三角天面構成パネル33の頂点付近にパネル同士が重ねられない範囲が生じる。フラットな天面を持つ紙容器を実現することができる。第２の三角天面構成パネル63の頂点の位置とパネルの折り箇所（折り目68，69）についても，同様とされる（図５と鏡像反転した形状とされる）のは言うまでもない。
【００４７】
図６はさらに他の変形例のブランクの部分拡大図を示している。第１の三角天面構成パネル33の左辺（折り目36）と右辺（折り目37）が一箇所（頂点）で交差しないように，右辺（折り目37）の角度がわずか調整されている。また，折り目38と折り目39とが上下に位置をずらして形成されている。この変形例でもパネルの折り箇所の集中が軽減（分散）され，第１の三角折畳み天面構成パネル34および第２の三角折畳み天面構成パネル35が折り畳まれたときに，第１の三角天面構成パネル33の頂点付近に，パネル同士が重ねられない範囲が生じる。フラットな天面を持つ紙容器を実現することができる。
【００４８】
紙容器１Ｂに使用されるシートには，外面から内面に向かって，たとえば以下の層構造を持つものを採用することができる。
（１）ＬＤＰＥ／紙／ＬＤＰＥまたはＬＬＤＰＥ
（２）ＬＤＰＥ／紙／ＬＤＰＥ／アルミニウム箔／接着剤／ＰＥＴ／ＬＤＰＥまたはＬＬＤＰＥ
（３）ＬＤＰＥ／紙／ＬＤＰＥ／アルミ蒸着層／ＰＥＴ／ＬＤＰＥまたはＬＬＤＰＥ
（４）ＬＤＰＥ／紙／ＬＤＰＥ／酸化珪素蒸着層／ＰＥＴ／ＬＤＰＥまたはＬＬＤＰＥ
（５）ＬＤＰＥ／紙／ＬＤＰＥ／酸化アルミニウム蒸着層／ＰＥＴ／ＬＤＰＥまたはＬＬＤＰＥ
ここでＬＤＰＥは低密度ポリエチレン（Low density polyethylene）を，ＬＬＤＰＥは直鎖状低密度ポリエチレン（Linear low density polyethylene ）を，ＰＥＴはポリエチレンテレフタラート（Polyethylene terephthalate）を，それぞれ意味する。いずれも層構造も，紙を主体とし，かつ両側の最外面に熱可塑性樹脂が積層された構造を持ち，熱溶着に適している。最も内面側の熱可塑性樹脂層の厚さは，最も外面側の熱可塑性樹脂層の厚さよりも厚くするのが好ましい。たとえば，最も内面側の熱可塑性樹脂層の厚さを３０〜８０μｍ，最も外面側の熱可塑性樹脂層の厚さを１０〜３０μｍとすることができる。また，紙と最も内面側の熱可塑性樹脂層との間に中間層を設けてもよい。中間層としては，たとえばガスバリア層が挙げられる。
【００４９】
上述のようにブランク１Ａから紙容器１Ｂを組み立てるときには，フレームシール，ホットエアーシール等を用いることができる。また，必要に応じてブランクの端面は，切削した上で折り込み加工してもよいし（スカイブヘミング方式），さらに端面にプラスチックフィルム等を貼り合わせてもよい（テープ貼り加工方式）。
【００５０】
なお，ブランク１Ａにおけるパネルの並び順は図１に示すものに限られないのは言うまでもない。上述の例では，第１のパネル体，第２のパネル体，第３のパネル体，第４のパネル体，第５のパネル体が左から順に並ぶ例を説明したが，並び順を逆にしてもよい。すなわち，第５のパネル体，第４のパネル体，第３のパネル体，第２のパネル体，第１のパネル体が左から順に並んでいてもよい。
【実施例２】
【００５１】
図７および図８は第２実施例のフラットトップ型紙容器を示しており，図７は第２実施例の紙容器の展開図を，図８は組み立て途中の第２実施例の紙容器の上側斜視図をそれぞれ示している。第１実施例の紙容器１Ａ，１Ｂとは，第３の天面構成パネルの構造（寸法）が異なっている。図１〜図４と同一の構造（パネル，折り目）には同じ符号を付し，重複説明を避ける。
【００５２】
第２実施例の紙容器２Ｂのブランク２Ａにおいて，長方形の第３の天面構成パネル24Ａの短辺の長さが第５の天面構成パネル41ａ，41ｂの上下方向の長さおよび第６の天面構成パネル71ａ，71ｂの上下方向の長さよりも短い。これに対応して，第３の天面構成パネル24Ａの内面に溶着される溶着パネル84Ａの長さも短くされている。図７のブランク２Ａを組み立てると，第３の天面構成パネル24Ａの短辺の長さが短いので，第３の天面構成パネル24Ａによって第１の天面構成パネル23の全体が覆われずに，第１の天面構成パネル23に，第３の天面構成パネル24Ａが重ならない範囲が形成される。半分に折られた第５の天面構成パネル41ａの内面の一部と，同様にして半分に折られた第６の天面構成パネル71ｂの内面の一部が，第１の天面構成パネル23の外面に直接に溶着されることになる。天面部の一部のパネルの重なり合う枚数を減らすことができる。また，パネル内面の熱可塑性樹脂を溶着に用いることができる。このため，紙容器２Ｂの天面部をフラットな状態に保持しやすくすることができる。
【実施例３】
【００５３】
図９および図１０は第３実施例のフラットトップ型紙容器を示しており，図９は第３実施例の紙容器の展開図を，図１０は組み立て途中の紙容器の上側斜視図をそれぞれ示している。第２実施例の紙容器２Ａ，２Ｂとは，第５の天面構成パネル41ａ，41ｂの上縁中央（折り目42付近），および第６の天面構成パネル71ａ，71ｂの上縁中央（折り目72付近）に，Ｖ字形の切り欠き（スリット）91がそれぞれ形成されている点が異なる。切り欠き91は，第１の三角天面構成パネル33，第１の三角折畳み天面構成パネル34，第２の三角折畳み天面構成パネル35，第２の三角天面構成パネル63，第３の三角折畳み天面構成パネル64，第４の三角折畳み天面構成パネル65に達しないように形成され，折り目42と折り目72の上下方向の長さは１０ｍｍ以下であることが好ましい。
【００５４】
第３の天面構成パネル24Ａと第４の天面構成パネル55との間に，折り目42において谷折りされて半分に折り畳まれた第５の天面構成パネル41ａ，41ｂが挟まれ，かつ折り目72において谷折りされて半分に折り畳まれた第６の天面構成パネル71ａ，71ｂが挟まれ，これらの谷折りされる折り箇所同士が対向する。図１０を参照して，第５の天面構成パネル41ａ，41ｂの折り箇所，および第６の天面構成パネル71ａ，71ｂの折り箇所に，Ｖ字形の切り欠き91が形成されているので，組み立てられた紙容器３Ｂにおいて，対向する折り箇所の部分が重なり合ってしまうことが抑制される。紙容器３Ｂの密封性を向上させることができる。なお，切り欠き91の形状はＶ字形に限られず，たとえば円弧状としてもよい。
【実施例４】
【００５５】
図１１および図１２は第４実施例のフラットトップ型紙容器を示しており，図１１は第４実施例の紙容器の展開図を，図１２は組み立て途中の紙容器の上側斜視図をそれぞれ示している。第１実施例の紙容器１Ａ，１Ｂとは，第５の天面構成パネル41ａ，41ｂの折り目42，および第６の天面構成パネル71ａ，71ｂの折り目72に，Ｖ字形の切り欠き（スリット）91がそれぞれ形成されている点（第３実施例と同じ），および底面パネル体のパネル構成が異なる。
【００５６】
第４実施例のブランク４Ａから形成される紙容器４Ｂの底面パネル体のパネル構成は，ブランクの端面に内容物が接触しないように折り込み加工されるタイプのものである。第２の底面構成パネル56の下端部に折り目を介して横向きに伸びる長方形の折り込み片93が区画されており，その両側の第２，第３の三角折畳み底面構成パネル47，76の下端部にも横向きに長いほぼ長方形の折り込み片96，97が折り目によって区画されている。折り込み片93は谷折りされて，その外面が第２の底面構成パネル56の外面に接着される。折り込み片93の両側の折り込み片96，97は山折りされて，その外面が第１，第４の三角折畳み底面構成パネル46，77に溶着される。ブランクの端面に内容物が接触しないように折ることができるので，ブランクの端面から液体が染み込むことが防止される。この底面パネル体のパネル構成は，浸透性の高いもの（たとえば酒など）を封入するのに適している。もっとも，液体のみならず粉状物，粒状物を収納する容器にも，この底面パネル体のパネル構成を採用してもよいのは言うまでもない。
【実施例５】
【００５７】
図１３および図１４は第５実施例のフラットトップ型紙容器を示しており，図１３は第５実施例の紙容器の展開図を，図１４は組み立て途中の紙容器の上側斜視図をそれぞれ示している。第３実施例とは，Ｖ字形の切り欠き91Ａが幅広に設けられている点が異なる。たとえば，切り欠き91Ａの幅を，第２，第４の側壁パネル14，18の幅Ｗ２の半分以上とすることができる。
【００５８】
幅広の切り欠き91Ａが位置する部分はパネルが１枚少なく，第４の天面構成パネル55と第１の天面構成パネル23との間に指または爪をかけやすい。第３の天面構成パネル24Ａの短辺の長さを短くし，Ｖ字形の切り欠き91Ａを幅広に形成することによって，第５実施例のブランク５Ａから形成される紙容器５Ｂを，比較的解体しやすいものとすることができる。
【実施例６】
【００５９】
図１５および図１６は第６実施例のフラットトップ型紙容器を示しており，図１５は第６実施例の紙容器の展開図を，図１６は組み立て途中の紙容器の上側斜視図をそれぞれ示している。第２実施例とは，半分に折り畳まれる第５の天面構成パネル41ａＡ，41ｂＡの折り目42を挟んだ一方側41ａＡ，および半分に折り畳まれる第６の天面構成パネル71ａＡ，71ｂＡの折り目72を挟んだ一方側71ｂＡの短辺の長さが短い点，第５の天面構成パネル41ａＡ，41ｂＡの折り目42を挟んだ他方側41ｂＡ，および第６の天面構成パネル71ａＡ，71ｂＡの折り目72を挟んだ他方側71ｂＡの上縁に，斜辺98がそれぞれ形成され，第４の天面構成パネル55の短辺の長さが第３の天面構成パネル24Ａおよび第５の天面構成パネル71ｂＡの短辺の長さよりも長い点が異なる。
【００６０】
図１５に示すブランク６Ａを折り畳んで形成される紙容器６Ｂは，図１６に示すように，第５の天面構成パネル41ｂＡの斜辺98および第６の天面構成パネル71ａＡの斜辺98によってＶ字形の隙間が形成される。第６実施例も，第４の天面構成パネル55と第１の天面構成パネル23との間に比較的幅広の隙間が形成されるので，そこに指または爪を掛けやすく，紙容器を解体しやすいものとすることができる。また，第４の天面構成パネル55の内面の熱可塑性樹脂を溶着に用いることができるので，紙容器６Ｂの天面部をフラットな状態に保持しやすくすることができる。
【符号の説明】
【００６１】
１Ａ，２Ａ，３Ａ，４Ａ，５Ａ，６Ａ  ブランク
１Ｂ，２Ｂ，３Ｂ，４Ｂ，５Ｂ，６Ｂ  フラットトップ型紙容器
12  第１の側壁パネル
14  第２の側壁パネル
16  第３の側壁パネル
18  第４の側壁パネル
23  第１の天面構成パネル
24，24Ａ  第３の天面構成パネル
53  第２の天面構成パネル
55  第４の天面構成パネル
41ａ，41ｂ，41ａＡ，41ｂＡ  第５の天面構成パネル
71ａ，71ｂ，71ａＡ，71ｂＡ  第６の天面構成パネル
33  第１の三角天面構成パネル
63  第２の三角天面構成パネル
34  第１の三角折畳み天面構成パネル
35  第２の三角折畳み天面構成パネル
64  第３の三角折畳み天面構成パネル
65  第４の三角折畳み天面構成パネル
20，83，84，84Ａ，85  溶着パネル
91，91Ａ  切り欠き（スリット）
98  斜辺
Ｍ  ミシン目
【図１】
0006582696.tif 000002
【図２】
0006582696.tif 000003
【図３】
0006582696.tif 000004
【図４】
0006582696.tif 000005
【図５】
0006582696.tif 000006
【図６】
0006582696.tif 000007
【図７】
0006582696.tif 000008
【図８】
0006582696.tif 000009
【図９】
0006582696.tif 000010
【図１０】
0006582696.tif 000011
【図１１】
0006582696.tif 000012
【図１２】
0006582696.tif 000013
【図１３】
0006582696.tif 000014
【図１４】
0006582696.tif 000015
【図１５】
0006582696.tif 000016
【図１６】
0006582696.tif 000017